(57)【要約】【課題】樹脂の注入充填時に配線基板に反りが発生することを確実に防止できて、高い信頼性を得ることのできる電子機器の樹脂封止成形方法を提供する。【解決手段】配線基板３と、ベース１と、コネクタ３とからなるサブモジュール１０’を、成形型２０内にセットし、この成形型２０内に熱硬化性樹脂を注入充填して、前記配線基板３の全面と前記ベース１及びコネクタ２の一部とを熱硬化性樹脂により一体的に封止成形する。この場合、前記熱硬化性樹脂の注入充填時に前記配線基板３に反りが発生するのを防止すべく、前記成形型２０の内面に、前記配線基板３に届くようにボス２５ａ、２５ｂ、２５ｃを突設している。【選択図】図３
2009158793.tif 000002
【特許請求の範囲】
【請求項１】
電子部品が実装された配線基板と、該配線基板が搭載されたベースと該ベースに取り付けられたコネクタとからなるサブモジュールを成形型内にセットし、この成形型内に熱硬化性樹脂を注入充填して、前記配線基板の全面と前記ベース及びコネクタの一部とを熱硬化性樹脂により一体的に封止成形するようにされた電子機器の樹脂封止成形方法であって、
前記熱硬化性樹脂の注入充填時に前記配線基板に反りが発生するのを防止すべく、前記成形型の内面に、前記配線基板に届くようにボスを突設したことを特徴とする電子機器の樹脂封止成形方法。
【請求項２】
前記ボスを、前記成形型の内面の複数箇所に設けることを特徴とする請求項１に記載の電子機器の樹脂封止成形方法。
【請求項３】
前記ボスを、前記配線基板における前記成形型内に注入された熱硬化性樹脂の合流点となる部位に、それぞれその先端が当接するように配在したことを特徴とする請求項１又は２に記載の電子機器の樹脂封止成形方法。
【請求項４】
前記樹脂封止成形後に、硬化したモールド樹脂部に形成されている前記ボスの痕跡穴に接着剤を充填してそこを閉塞することを特徴とする請求項１から３のいずれか一項に記載の電子機器の樹脂封止成形方法。
【発明の詳細な説明】
【技術分野】
【０００１】
本発明は、配線基板の全面とベース（ケース）及びコネクタの一部とを熱硬化性樹脂により一体的に封止成形するようにされた電子機器の樹脂封止成形方法に関する。
【背景技術】
【０００２】
配線基板、ベース、及びコネクタを備えた車載用エンジンコントロールユニット等の電子機器において、その高信頼化を図る方策の一つとして、例えば下記特許文献１等にも見られるように、前記配線基板の全面とベース及びコネクタの一部とを熱硬化性樹脂により一体的に封止成形することが提案されている。
【０００３】
このような電子機器の樹脂封止成形にあたっては、図４に示される如くに、金属製のベース１、このベース１の台座１１に乗せられてネジ類８ａ、８ｂ、８ｃで止められた配線基板３、及びコネクタ２からなるサブモジュール１０’を、図示しない成形型内にセットし、成形型の一端側から、熱硬化性樹脂を配線基板３の下面側（ベース１の底面との間の隙間Ｓａ）に注入充填するとともに、コネクタ２側に流動させて充填した後、上面側に流動させて、配線基板３の全面とベース１及びコネクタ２の一部（内面側）とを熱硬化性樹脂で覆うようにされる。
【０００４】
【特許文献１】特開2006-190725号公報
【発明の開示】
【発明が解決しようとする課題】
【０００５】
上記した如くの従来の電子機器の樹脂封止成形方法では、配線基板３を樹脂で封止することを重視しすぎたため、封止成形時の樹脂流動の影響により、配線基板３の下面とベース１との間に形成される隙間Ｓａから樹脂が流れ始め、コネクタ２部分及び配線基板３の両端のように、大きな容積の部分及び遠い部分が流れの合流点９ａ、９ｂ、９ｃとなり、それが応力（基板３を上方に押し上げる力）となって、配線基板３に反りを発生させてしまう。このように配線基板３に反りが発生すると、実装された電子部品や配線パターン等にクラック等の不具合が発生するおそれがあり、信頼性が低下してしまうという問題があった。
【０００６】
本発明は、前記した如くの問題を解消すべくなされたもので、その目的とするところは、樹脂の注入充填時に配線基板に反りが発生することを確実に防止できて、高い信頼性を得ることのできる電子機器の樹脂封止成形方法を提供することにある。
【課題を解決するための手段】
【０００７】
前記目的を達成するべく、本発明に係る電子機器の樹脂封止成形方法は、電子部品が実装された配線基板と、該配線基板が搭載されたベースと、該ベースに取り付けられたコネクタとからなるサブモジュールを、成形型内にセットし、この成形型内に熱硬化性樹脂を注入充填して、前記配線基板の全面と前記ベース及びコネクタの一部とを熱硬化性樹脂により一体的に封止成形するようにされ、前記熱硬化性樹脂の注入充填時に前記配線基板に反りが発生するのを防止すべく、前記成形型の内面に、前記配線基板に届くようにボスを突設したことを特徴としている。
【０００８】
前記ボスを、好ましくは、前記成形型の内面の複数箇所に設けるようにされる。
【０００９】
他の好ましい態様では、前記ボスを、前記配線基板における前記成形型内に注入された熱硬化性樹脂の合流点となる部位に、それぞれその先端が当接するように配在する。
【００１０】
別の好ましい態様では、前記樹脂封止成形後に、硬化したモールド樹脂部に形成されている前記ボスの痕跡穴に接着剤を充填してそこを閉塞するようにされる。
【発明の効果】
【００１１】
本発明に係る電子機器の樹脂封止成形方法では、配線基板に届くように成形型の内面に突設されたボスにより、熱硬化性樹脂の注入充填時の樹脂流動に起因する配線基板の反りを確実に抑えることができ、高い信頼性を得ることができる。
【００１２】
また、硬化したモールド樹脂部に形成されている前記ボスの痕跡穴に接着剤を充填してそこを閉塞することにより、ほぼ完璧な防水構造となり、これによっても、信頼性が一層向上する。
【発明を実施するための最良の形態】
【００１３】
以下、本発明の樹脂封止成形方法の実施の形態を図面を参照しながら説明する。
【００１４】
図１は、本発明に係る樹脂封止成形方法の一実施形態により成形された電子機器の一例を示し、（Ａ）は平面図、（Ｂ）は背面図、（Ｃ）側面図である。また、図２は、図１に示される電子機器１０の組立及び樹脂封止成形手順の説明に供される図である。
【００１５】
図示の電子機器１０は、車載用エンジンコントロールユニット（ECU）として用いられるもので、大別して金属製のベース１、コネクタ２、電子部品（図示せず）が実装された配線基板３、及びモールド樹脂４から構成される。
【００１６】
かかる電子機器１０の組立及び樹脂封止成形は、次のようにして行われる。
【００１７】
まず、図２（Ａ）に示される如くに、ベース１に、コネクタ２を接着剤で取り付ける。ベース１には、配線基板３を受けるためのボス及び台座１１が設けられており（図２（Ｅ）及び図３参照）、配線基板３の放熱用として、シート７ａ、７ｂが貼り付けられている（図２（Ｂ）参照）。
【００１８】
次に、図２（Ｂ）〜（Ｅ）に示される如くに、コネクタ２のリード端子を挿入しながら、配線基板３をベース１のボス及び台座１１の上に載せ、配線基板３をネジ類８ａ、８ｂ、８ｃにより３点で締付固定する。
【００１９】
このようにして組み立てられたベース１、配線基板３、及びコネクタ２からなるサブモジュール１０’を、図３に示される如くに、成形型２０内にセットし、成形型２０の一端側から、熱硬化性樹脂を配線基板３の下面側（ベース１の底面との間の隙間Ｓａ）に注入充填するとともに、コネクタ２側に流動させて充填した後、上面側に流動させて、配線基板３の全面とベース１及びコネクタ２の一部（内面側）とを熱硬化性樹脂で覆って封止し、内部（配線基板３等）への水の侵入を阻止する構造とする。
【００２０】
この場合、図３、図４に示される如くに、熱硬化性樹脂の注入充填時に、その流動力により、配線基板３におけるネジ類８ａ、８ｂ、８ｃで固定されていない部分（９ａ，９ｂ，９ｃ）に反りを生じるおそれがある。より詳細には、コネクタ２部分及び配線基板３の両端のように、大きな容積の部分及び遠い部分は流れの合流点となるため、その部分に応力（基板３を上方に押し上げる力）が生じて、配線基板３に反りを発生させてしまう。
【００２１】
その対応として、本実施形態では、図３に示される如くに、成形型２０の内面の３箇所に、配線基板３に届くようにボス２５ａ、２５ｂ、２５ｃが突設されている。ここでは、前記ボス２５ａ、２５ｂ、２５ｃは、前記配線基板３における前記成形型２０内に注入された熱硬化性樹脂の合流点となる部位、つまり、配線基板３における反りが発生しやすい部分９ａ、９ｂ、９ｃに、それぞれその先端が当接するように配在されている。
【００２２】
また、上記樹脂封止成形後に、硬化したモールド樹脂部４に形成されている前記ボス２５ａ、２５ｂ、２５ｃの痕跡穴５ａ、５ｂ、５ｃに接着剤６を充填硬化させてそこを閉塞する。なお、接着剤６は、モールド樹脂４に合せて選択することが望ましく、種類も高温硬化用でも常温硬化用でもどちらでもよい。
【００２３】
このように本実施形態の樹脂封止成形方法では、配線基板３に届くように成形型２０の内面に突設されたボス２５ａ、２５ｂ、２５ｃにより、熱硬化性樹脂の注入充填時の樹脂流動に起因する配線基板３の反りを確実に抑えることができ、高い信頼性を得ることができる。
【００２４】
また、硬化したモールド樹脂部４に形成されている前記ボス２５ａ、２５ｂ、２５ｃの痕跡穴５ａ、５ｂ、５ｃに接着剤６を充填してそこを閉塞することにより、ほぼ完璧な防水構造となり、これによっても、信頼性が一層向上する。
【図面の簡単な説明】
【００２５】
【図１】本発明に係る樹脂封止成形方法の一実施形態により成形された電子機器の一例を示し、（Ａ）は平面図、（Ｂ）は背面図、（Ｃ）側面図。
【図２】図１に示される電子機器１０の組立及び樹脂封止成形手順の説明に供される図。
【図３】本発明に係る樹脂封止成形方法の一実施形態における樹脂封止成形時の様子を示す断面図。
【図４】配線基板に反りが発生する原因の説明に供される図。
【符号の説明】
【００２６】
１：ベース、２：コネクタ、３：配線基板、４：モールド樹脂、５ａ，５ｂ，５ｃ：痕跡穴、６：接着剤、７ａ，７ｂ：放熱用シート、８ａ，８ｂ，８ｃ：ネジ類、９ａ，９ｂ，９ｃ：配線基板における反りが発生しやすい部分、１０：電子機器、１０’：サブモジュール、２０：成形型、２５ａ、２５ｂ、２５ｃ：ボス
【図１】
2009158793.tif 000003
【図２】
2009158793.tif 000004
【図３】
2009158793.tif 000005
【図４】
2009158793.tif 000006